(57)【要約】【課題】本発明はおもちゃの銃の射撃力の程度をテストする装置を開示した。【解決手段】銃身を含み、前記銃身の中には右方へ開口した突き当て溝が設置され、前記突き当て溝の内壁には螺旋状に等間隔で列設されている四つの凹溝が設置され、前記凹溝のうち円心から離れている側には伝動チャンバが設置され、前記伝動チャンバの中にはトリガー装置が設置され、前記伝動チャンバの右端には開口が円心から離れている転向溝が連通するように設置され、前記転向溝の中には前記トリガー装置により制御される転向装置が設置され、本発明はスリーブ管の構成に類似し、いつでもランダム検査することに便利を与え、銃弾がもたらす運動エネルギーを利用して一連の機械伝動に転化させ、危険さをもっと直接に速くテストできる。【選択図】図１
2020177004.tif 000002
【特許請求の範囲】
【請求項１】
銃身を含み、前記銃身の中には右方へ開口した突き当て溝が設置され、前記突き当て溝の内壁には螺旋状に等間隔で列設されている四つの凹溝が設置され、前記凹溝のうち円心から離れている側には伝動チャンバが設置され、前記伝動チャンバの中にはトリガー装置が設置され、前記伝動チャンバの右端には開口が円心から離れている転向溝が連通するように設置され、前記転向溝の中には前記トリガー装置により制御される転向装置が設置され、前記転向装置にはシグナル装置が設置され、前記突き当て溝の中には銃弾と当接する力受け板がスライドできるように連結され、前記力受け板の左端には横柱が設置され、前記横柱の左端末端には前記トリガー装置を制御する斜面ブロックが設置され、前記斜面ブロックの左側端面と前記突き当て溝の左側内壁との間には抵抗ばねが連結されており、
銃弾が前記力受け板に強く打ちつけられ、また前記横柱により前記斜面ブロックを推し動かして左へ移動させ、銃弾の打撃がもたらす運動エネルギーにより前記斜面ブロックを相応な距離にスライドさせ、相応な数の前記トリガー装置を始動し、前記トリガー装置が前記転向装置により、前記シグナル装置を回転させて前記転向溝の中から出して発光させ、作業員にシグナルを送り、作業員が点灯したライトの数によりランク分けをすることを特徴とするおもちゃの銃の射撃力の程度をテストする装置。
【請求項２】
前記トリガー装置は前記凹溝のうち円心から離れている側の内壁とスライドできるように連結されている推しロッドを含み、前記推しロッドには前記斜面ブロックと当接している従動スライダが設置され、前記従動スライダと前記凹溝のうち円心から離れている側の内壁との間には圧縮ばねが連結され、前記伝動チャンバの中には回転ロッドが回転できるように連結され、前記回転ロッドには左右対称の連通溝が設置され、左端の前記連通溝と前記推しロッドとの間がスライドできるように連結され、前記伝動チャンバの中には右端の前記連通溝とスライドできるように連結されているラックがスライドできるように連結されており、
前記斜面ブロックが前記従動スライダにより移動して前記推しロッドを推し動かして前記伝動チャンバの中へ移動させ、また前記回転ロッドを回転させるころにより前記ラックを前記凹溝に近接させることを特徴とする請求項１に記載のおもちゃの銃の射撃力の程度をテストする装置。
【請求項３】
前記転向装置は、前記転向溝の中に設置され、且つ前後へ伸びている固定軸を含み、前記固定軸の中には前記ラックと噛み合って連結されているギヤが設置され、前記ギヤには伝動軸が回転できるように連結され、前記伝動軸の右端末端には電源箱が設置され、前記電源箱の外側が欠歯ギヤであり、前記電源箱と前記ギヤとの間にはトルクばねが連結され、前記電源箱の中には照明チャンバが設置され、前記シグナル装置が前記照明チャンバの中に位置しており、
前記ラックが噛み合いにより前記ギヤを回転させ、これにより前記電源箱が前記転向溝から出ることを特徴とする請求項１又は請求項２に記載のおもちゃの銃の射撃力の程度をテストする装置。
【請求項４】
前記シグナル装置は前記電源箱の右方に設置されているベースを含み、前記ベースと前記電源箱との間にはスライドレールが設置され、前記電源箱と前記ベースの中には前記スライドレールに対して左右対称となるリミットチャンバが設置され、前記スライドレールの中には連結ブロックがスライドできるように連結され、前記連結ブロックには前記リミットチャンバとスライドできるように連結されている左右対称の脱離防止ロッドが設置され、前記連結ブロックにはスライドロッドがスライドできるように連結され、前記スライドロッドには前記照明チャンバの中に位置している電極棒が設置され、前記電極棒と前記照明チャンバの内壁との間には復帰ばねが連結され、前記スライドロッドには前記転向溝の内壁と当接している当接ロッドが設置され、前記当接ロッドには前記電源箱の外側と噛み合って連結されているＵ型枠が設置され、前記ベースの右端には四脚スタンドが設置され、前記四脚スタンドにはライトが回転できるように連結され、前記ライトの左端には前記電極棒と当接している導電棒が設置され、前記照明チャンバの中には前記電極棒と当接している電源が設置されており、
前記ベースが前記電源箱との間が前記脱離防止ロッドと前記連結ブロックにより一体に連結され、また、前記脱離防止ロッドが前記リミットチャンバの中でのスライドにより、他の部品の回転に干渉しないことを保証し、同時に光線が前記四脚スタンドの柵式の構成により、明滅することを実現することを特徴とする請求項３に記載のおもちゃの銃の射撃力の程度をテストする装置。
【発明の詳細な説明】
【技術分野】
【０００１】
本発明はおもちゃ安全技術分野を取り上げて、具体的にはおもちゃの銃の射撃力の程度をテストする装置である。
【背景技術】
【０００２】
おもちゃの銃が人を傷つける事件がよく発生し、放つ銃弾がプラスチック材料のものであるが、銃の内部構成の差異により加速度が異なり、これによりもたらされる運動エネルギーも異なるので、おもちゃの銃が一定の殺傷力を有し、そのため、おもちゃの銃の安全性をランダム検査できる装置が必要となり、本発明の装置は上記の問題を解決できる。
【先行技術文献】
【特許文献】
【０００３】
【特許文献１】中国特許出願公開第102486360号明細書
【発明の概要】
【発明が解決しようとする課題】
【０００４】
本発明はおもちゃの銃の射撃力の程度をテストする装置を提供し、従来技術における上記欠点を解消することを目的とする。
【課題を解決するための手段】
【０００５】
本発明のおもちゃの銃の射撃力の程度をテストする装置は、銃身を含み、前記銃身の中には右方へ開口した突き当て溝が設置され、前記突き当て溝の内壁には螺旋状に等間隔で列設されている四つの凹溝が設置され、前記凹溝のうち円心から離れている側には伝動チャンバが設置され、前記伝動チャンバの中にはトリガー装置が設置され、前記伝動チャンバの右端には開口が円心から離れている転向溝が連通するように設置され、前記転向溝の中には前記トリガー装置により制御される転向装置が設置され、前記転向装置にはシグナル装置が設置され、前記突き当て溝の中には銃弾と当接する力受け板がスライドできるように連結され、前記力受け板の左端には横柱が設置され、前記横柱の左端末端には前記トリガー装置を制御する斜面ブロックが設置され、前記斜面ブロックの左側端面と前記突き当て溝の左側内壁との間には抵抗ばねが連結されており、
銃弾が前記力受け板に強く打ちつけられ、また前記横柱により前記斜面ブロックを推し動かして左へ移動させ、銃弾の打撃がもたらす運動エネルギーにより前記斜面ブロックを相応な距離にスライドさせ、相応な数の前記トリガー装置を始動し、前記トリガー装置が前記転向装置により、前記シグナル装置を回転させて前記転向溝の中から出して発光させ、作業員にシグナルを送り、作業員が点灯したライトの数によりランク分けをする。
【０００６】
好ましくは、前記トリガー装置は前記凹溝のうち円心から離れている側の内壁とスライドできるように連結されている推しロッドを含み、前記推しロッドには前記斜面ブロックと当接している従動スライダが設置され、前記従動スライダと前記凹溝のうち円心から離れている側の内壁との間には圧縮ばねが連結され、前記伝動チャンバの中には回転ロッドが回転できるように連結され、前記回転ロッドには左右対称の連通溝が設置され、左端の前記連通溝と前記推しロッドとの間がスライドできるように連結され、前記伝動チャンバの中には右端の前記連通溝とスライドできるように連結されているラックがスライドできるように連結されており、
前記斜面ブロックが前記従動スライダにより移動して前記推しロッドを推し動かして前記伝動チャンバの中へ移動させ、また前記回転ロッドを回転させるころにより前記ラックを前記凹溝に近接させる。
【０００７】
好ましくは、前記転向装置は、前記転向溝の中に設置され、且つ前後へ伸びている固定軸を含み、前記固定軸の中には前記ラックと噛み合って連結されているギヤが設置され、前記ギヤには伝動軸が回転できるように連結され、前記伝動軸の右端末端には電源箱が設置され、前記電源箱の外側が欠歯ギヤであり、前記電源箱と前記ギヤとの間にはトルクばねが連結され、前記電源箱の中には照明チャンバが設置され、前記シグナル装置が前記照明チャンバの中に位置しており、
前記ラックが噛み合いにより前記ギヤを回転させ、これにより前記電源箱が前記転向溝から出る。
【０００８】
好ましくは、前記シグナル装置は前記電源箱の右方に設置されているベースを含み、前記ベースと前記電源箱との間にはスライドレールが設置され、前記電源箱と前記ベースの中には前記スライドレールに対して左右対称となるリミットチャンバが設置され、前記スライドレールの中には連結ブロックがスライドできるように連結され、前記連結ブロックには前記リミットチャンバとスライドできるように連結されている左右対称の脱離防止ロッドが設置され、前記連結ブロックにはスライドロッドがスライドできるように連結され、前記スライドロッドには前記照明チャンバの中に位置している電極棒が設置され、前記電極棒と前記照明チャンバの内壁との間には復帰ばねが連結され、前記スライドロッドには前記転向溝の内壁と当接している当接ロッドが設置され、前記当接ロッドには前記電源箱の外側と噛み合って連結されているＵ型枠が設置され、前記ベースの右端には四脚スタンドが設置され、前記四脚スタンドにはライトが回転できるように連結され、前記ライトの左端には前記電極棒と当接している導電棒が設置され、前記照明チャンバの中には前記電極棒と当接している電源が設置されており、
前記ベースが前記電源箱との間が前記脱離防止ロッドと前記連結ブロックにより一体に連結され、また、前記脱離防止ロッドが前記リミットチャンバの中でのスライドにより、他の部品の回転に干渉しないことを保証し、同時に光線が前記四脚スタンドの柵式の構成により、明滅することを実現する。
【発明の効果】
【０００９】
本発明の有益効果は：本発明はスリーブ管の構成に類似し、取り外しやすくていつでもランダム検査でき、銃弾を撃ち出すことによりもたらされる運動エネルギーが一連の機械伝動により設備の起動を触発する構成に直接に作用し、電子テストコンポーネントよりもっと速く反応でき、また点灯したライトの数により危険さを示す。
【図面の簡単な説明】
【００１０】
説明しやすいために、本発明は以下の具体的な実施例及び付図により詳しく説明する。
【００１１】
【図１】図１は本発明のおもちゃの銃の射撃力の程度をテストする装置の全体構成模式図
【図２】図２は図１の「Ａ−Ａ」の断面の構成模式図
【図３】図３は図１の「Ｂ」の拡大構成模式図
【図４】図４は図３のシグナル装置の構成模式図
【図５】図５は図４の右側面図
【発明を実施するための形態】
【００１２】
以下に図１〜５を交えて本発明について詳しく説明する。便利に叙述するために、後文に出る方位を下記の通りに規定する：後文に出る上下左右前後方向は図１本体の投影関係の上下左右前後方向と一致する。
【００１３】
本発明のおもちゃの銃の射撃力の程度をテストする装置は、銃身１１を含み、前記銃身１１の中には右方へ開口した突き当て溝１２が設置され、前記突き当て溝１２の内壁には螺旋状に等間隔で列設されている四つの凹溝１５が設置され、前記凹溝１５のうち円心から離れている側には伝動チャンバ１４が設置され、前記伝動チャンバ１４の中にはトリガー装置９０１が設置され、前記伝動チャンバ１４の右端には開口が円心から離れている転向溝１６が連通するように設置され、前記転向溝１６の中には前記トリガー装置９０１により制御される転向装置９０２が設置され、前記転向装置９０２にはシグナル装置９０３が設置され、前記突き当て溝１２の中には銃弾と当接する力受け板１９がスライドできるように連結され、前記力受け板１９の左端には横柱１８が設置され、前記横柱１８の左端末端には前記トリガー装置９０１を制御する斜面ブロック１７が設置され、前記斜面ブロック１７の左側端面と前記突き当て溝１２の左側内壁との間には抵抗ばね１３が連結されており、
銃弾が前記力受け板１９に強く打ちつけられ、また前記横柱１８により前記斜面ブロック１７を推し動かして左へ移動させ、銃弾の打撃がもたらす運動エネルギーにより前記斜面ブロック１７を相応な距離にスライドさせ、相応な数の前記トリガー装置９０１を始動し、前記トリガー装置９０１が前記転向装置９０２により、前記シグナル装置９０３を回転させて前記転向溝１６の中から出して発光させ、作業員にシグナルを送り、作業員が点灯したライトの数によりランク分けをする。
【００１４】
有益的には、前記トリガー装置９０１は前記凹溝１５のうち円心から離れている側の内壁とスライドできるように連結されている推しロッド２０を含み、前記推しロッド２０には前記斜面ブロック１７と当接している従動スライダ２２が設置され、前記従動スライダ２２と前記凹溝１５のうち円心から離れている側の内壁との間には圧縮ばね２１が連結され、前記伝動チャンバ１４の中には回転ロッド２７が回転できるように連結され、前記回転ロッド２７には左右対称の連通溝２６が設置され、左端の前記連通溝２６と前記推しロッド２０との間がスライドできるように連結され、前記伝動チャンバ１４の中には右端の前記連通溝２６とスライドできるように連結されているラック２８がスライドできるように連結されており、
前記斜面ブロック１７が前記従動スライダ２２により移動して前記推しロッド２０を推し動かして前記伝動チャンバ１４の中へ移動させ、また前記回転ロッド２７を回転させるころにより前記ラック２８を前記凹溝１５に近接させる。
【００１５】
有益的には、前記転向装置９０２は、前記転向溝１６の中に設置され、且つ前後へ伸びている固定軸２９を含み、前記固定軸２９の中には前記ラック２８と噛み合って連結されているギヤ２３が設置され、前記ギヤ２３には伝動軸３０が回転できるように連結され、前記伝動軸３０の右端末端には電源箱２５が設置され、前記電源箱２５の外側が欠歯ギヤであり、前記電源箱２５と前記ギヤ２３との間にはトルクばね２４が連結され、前記電源箱２５の中には照明チャンバ３１が設置され、前記シグナル装置９０３が前記照明チャンバ３１の中に位置しており、
前記ラック２８が噛み合いにより前記ギヤ２３を回転させ、これにより前記電源箱２５が前記転向溝１６から出る。
【００１６】
有益的には、前記シグナル装置９０３は前記電源箱２５の右方に設置されているベース３７を含み、前記ベース３７と前記電源箱２５との間にはスライドレール３３が設置され、前記電源箱２５と前記ベース３７の中には前記スライドレール３３に対して左右対称となるリミットチャンバ３８が設置され、前記スライドレール３３の中には連結ブロック４２がスライドできるように連結され、前記連結ブロック４２には前記リミットチャンバ３８とスライドできるように連結されている左右対称の脱離防止ロッド４３が設置され、前記連結ブロック４２にはスライドロッド４０がスライドできるように連結され、前記スライドロッド４０には前記照明チャンバ３１の中に位置している電極棒３２が設置され、前記電極棒３２と前記照明チャンバ３１の内壁との間には復帰ばね４１が連結され、前記スライドロッド４０には前記転向溝１６の内壁と当接している当接ロッド３９が設置され、前記当接ロッド３９には前記電源箱２５の外側と噛み合って連結されているＵ型枠４５が設置され、前記ベース３７の右端には四脚スタンド３６が設置され、前記四脚スタンド３６にはライト３５が回転できるように連結され、前記ライト３５の左端には前記電極棒３２と当接している導電棒３４が設置され、前記照明チャンバ３１の中には前記電極棒３２と当接している電源４４が設置されており、
前記ベース３７が前記電源箱２５との間が前記脱離防止ロッド４３と前記連結ブロック４２により一体に連結され、また、前記脱離防止ロッド４３が前記リミットチャンバ３８の中でのスライドにより、他の部品の回転に干渉しないことを保証し、同時に光線が前記四脚スタンド３６の柵式の構成により、明滅することを実現する。
【００１７】
作動する時、銃口を突き当て溝１２の中に嵌め、銃弾を撃ち出した後で銃弾が力受け板１９に強く打ち付けられ、また横柱１８により斜面ブロック１７を推し動かして左へ移動させ、銃弾の打撃がもたらす運動エネルギーにより斜面ブロック１７を相応な距離にスライドさせ、相応な数の従動スライダ２２を推し動かして伝動チャンバ１４に近接している側へ移動させ、また推しロッド２０により回転ロッド２７を回転させ、更にこれによりラック２８が凹溝１５に近接している側へ移動し、ラック２８が噛み合いによりギヤ２３を回転させ、伝動軸３０により推しロッド２０を九十度回転させ、また電源箱２５を転向溝１６から出し、この時、当接ロッド３９が転向溝１６の内壁との当接から離脱したため、復帰ばね４１の弾性が復帰し、電極棒３２を当接ロッド３９に近接している側へ移動させ、またそれぞれ電源４４と導電棒３４と当接させ、ライト３５を点灯させ、トルクばね２４の弾性が復帰したため、電源箱２５を回転させることによりライト３５が回転し、しかし、四脚スタンド３６が回転しなく、光線が明滅になり、点灯したライトの数によりランク分けをする。
【００１８】
終わった後、圧縮ばね２１の弾性復帰により、上記の作動過程が逆方向へ移動し、これにより電源箱２５が回転して改めて転向溝１６の中に戻り、この時、当接ロッド３９が転向溝１６の内壁と当接し、スライドロッド４０により電極棒３２を推し動かして電源４４と導電棒３４との当接からそれぞれ離脱させ、同時に、Ｕ型枠４５により電源箱２５を回転させ、トルクばね２４に運動エネルギーを蓄積させる。
【００１９】
本発明の有益効果は：本発明はスリーブ管の構成に類似し、取り外しやすくていつでもランダム検査でき、銃弾を撃ち出すことによりもたらされる運動エネルギーが一連の機械伝動により設備の起動を触発する構成に直接に作用し、電子テストコンポーネントよりもっと速く反応でき、また点灯したライトの数により危険さを示す。
【００２０】
以上の方式により、本分野の技術者が本発明の範囲内に作動モードにより各種な変化をすることができる。
【図１】
2020177004.tif 000003
【図２】
2020177004.tif 000004
【図３】
2020177004.tif 000005
【図４】
2020177004.tif 000006
【図５】
2020177004.tif 000007
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
銃身を含み、前記銃身の中には右方へ開口した突き当て溝が設置され、前記突き当て溝の内壁には螺旋状に等間隔で列設されている四つの凹溝が設置され、前記凹溝において突き当て溝の円心から離れている側には伝動チャンバが設置され、前記伝動チャンバの中にはトリガー装置が設置され、前記伝動チャンバの右端には開口が円心から離れている転向溝が連通するように設置され、前記転向溝の中には前記トリガー装置により制御される転向装置が設置され、前記転向装置にはシグナル装置が設置され、前記突き当て溝の中には銃弾と当接する力受け板がスライドできるように連結され、前記力受け板の左端には横柱が設置され、前記横柱の左端末端には前記トリガー装置を制御する斜面ブロックが設置され、前記斜面ブロックの左側端面と前記突き当て溝の左側内壁との間には抵抗ばねが連結されており、
銃弾が前記力受け板に強く打ちつけられ、また前記横柱により前記斜面ブロックを推し動かして左へ移動させ、銃弾の打撃がもたらす運動エネルギーにより前記斜面ブロックを相応な距離にスライドさせ、相応な数の前記トリガー装置を始動し、前記トリガー装置が前記転向装置により、前記シグナル装置を回転させて前記転向溝の中から出して発光させ、作業員にシグナルを送り、作業員が点灯したライトの数によりランク分けをすることを特徴とするおもちゃの銃の射撃力の程度をテストする装置。
【請求項２】
前記トリガー装置は前記凹溝のうち円心から離れている側の内壁とスライドできるように連結されている推しロッドを含み、前記推しロッドには前記斜面ブロックと当接している従動スライダが設置され、前記従動スライダと前記凹溝のうち円心から離れている側の内壁との間には圧縮ばねが連結され、前記伝動チャンバの中には回転ロッドが回転できるように連結され、前記回転ロッドには左右対称の連通溝が設置され、左端の前記連通溝と前記推しロッドとの間がスライドできるように連結され、前記伝動チャンバの中には右端の前記連通溝とスライドできるように連結されているラックがスライドできるように連結されており、
前記斜面ブロックが前記従動スライダにより移動して前記推しロッドを推し動かして前記伝動チャンバの中へ移動させ、また前記回転ロッドを回転させるころにより前記ラックを前記凹溝に近接させることを特徴とする請求項１に記載のおもちゃの銃の射撃力の程度をテストする装置。
【請求項３】
前記転向装置は、前記転向溝の中に設置され、且つ前後へ伸びている固定軸を含み、前記固定軸の中には前記ラックと噛み合って連結されているギヤが設置され、前記ギヤには伝動軸が回転できるように連結され、前記伝動軸の右端末端には電源箱が設置され、前記電源箱の外側が欠歯ギヤであり、前記電源箱と前記ギヤとの間にはトルクばねが連結され、前記電源箱の中には照明チャンバが設置され、前記シグナル装置が前記照明チャンバの中に位置しており、
前記ラックが噛み合いにより前記ギヤを回転させ、これにより前記電源箱が前記転向溝から出ることを特徴とする請求項２に記載のおもちゃの銃の射撃力の程度をテストする装置。
【請求項４】
前記シグナル装置は前記電源箱の右方に設置されているベースを含み、前記ベースと前記電源箱との間にはスライドレールが設置され、前記電源箱と前記ベースの中には前記スライドレールに対して左右対称となるリミットチャンバが設置され、前記スライドレールの中には連結ブロックがスライドできるように連結され、前記連結ブロックには前記リミットチャンバとスライドできるように連結されている左右対称の脱離防止ロッドが設置され、前記連結ブロックにはスライドロッドがスライドできるように連結され、前記スライドロッドには前記照明チャンバの中に位置している電極棒が設置され、前記電極棒と前記照明チャンバの内壁との間には復帰ばねが連結され、前記スライドロッドには前記転向溝の内壁と当接している当接ロッドが設置され、前記当接ロッドには前記電源箱の外側と噛み合って連結されているＵ型枠が設置され、前記ベースの右端には四脚スタンドが設置され、前記四脚スタンドにはライトが回転できるように連結され、前記ライトの左端には前記電極棒と当接している導電棒が設置され、前記照明チャンバの中には前記電極棒と当接している電源が設置されており、
前記ベースが前記電源箱との間が前記脱離防止ロッドと前記連結ブロックにより一体に連結され、また、前記脱離防止ロッドが前記リミットチャンバの中でのスライドにより、他の部品の回転に干渉しないことを保証し、同時に光線が前記四脚スタンドの柵式の構成により、明滅することを実現することを特徴とする請求項３に記載のおもちゃの銃の射撃力の程度をテストする装置。
【手続補正２】
【補正対象書類名】明細書
【補正対象項目名】全文
【補正方法】変更
【補正の内容】
【発明の詳細な説明】
【技術分野】
【０００１】
本発明はおもちゃ安全技術分野を取り上げて、具体的にはおもちゃの銃の射撃力の程度をテストする装置である。
【背景技術】
【０００２】
おもちゃの銃が人を傷つける事件がよく発生し、放つ銃弾がプラスチック材料のものであるが、銃の内部構成の差異により加速度が異なり、これによりもたらされる運動エネルギーも異なるので、おもちゃの銃が一定の殺傷力を有し、そのため、おもちゃの銃の安全性をランダム検査できる装置が必要となり、本発明の装置は上記の問題を解決できる。
【先行技術文献】
【特許文献】
【０００３】
【特許文献１】中国特許出願公開第１０２４８６３６０号明細書
【発明の概要】
【発明が解決しようとする課題】
【０００４】
本発明はおもちゃの銃の射撃力の程度をテストする装置を提供し、従来技術における上記欠点を解消することを目的とする。
【課題を解決するための手段】
【０００５】
本発明のおもちゃの銃の射撃力の程度をテストする装置は、銃身を含み、前記銃身の中には右方へ開口した突き当て溝が設置され、前記突き当て溝の内壁には螺旋状に等間隔で列設されている四つの凹溝が設置され、前記凹溝において突き当て溝の円心から離れている側には伝動チャンバが設置され、前記伝動チャンバの中にはトリガー装置が設置され、前記伝動チャンバの右端には開口が円心から離れている転向溝が連通するように設置され、前記転向溝の中には前記トリガー装置により制御される転向装置が設置され、前記転向装置にはシグナル装置が設置され、前記突き当て溝の中には銃弾と当接する力受け板がスライドできるように連結され、前記力受け板の左端には横柱が設置され、前記横柱の左端末端には前記トリガー装置を制御する斜面ブロックが設置され、前記斜面ブロックの左側端面と前記突き当て溝の左側内壁との間には抵抗ばねが連結されており、
銃弾が前記力受け板に強く打ちつけられ、また前記横柱により前記斜面ブロックを推し動かして左へ移動させ、銃弾の打撃がもたらす運動エネルギーにより前記斜面ブロックを相応な距離にスライドさせ、相応な数の前記トリガー装置を始動し、前記トリガー装置が前記転向装置により、前記シグナル装置を回転させて前記転向溝の中から出して発光させ、作業員にシグナルを送り、作業員が点灯したライトの数によりランク分けをする。
【０００６】
好ましくは、前記トリガー装置は前記凹溝のうち円心から離れている側の内壁とスライドできるように連結されている推しロッドを含み、前記推しロッドには前記斜面ブロックと当接している従動スライダが設置され、前記従動スライダと前記凹溝のうち円心から離れている側の内壁との間には圧縮ばねが連結され、前記伝動チャンバの中には回転ロッドが回転できるように連結され、前記回転ロッドには左右対称の連通溝が設置され、左端の前記連通溝と前記推しロッドとの間がスライドできるように連結され、前記伝動チャンバの中には右端の前記連通溝とスライドできるように連結されているラックがスライドできるように連結されており、
前記斜面ブロックが前記従動スライダにより移動して前記推しロッドを推し動かして前記伝動チャンバの中へ移動させ、また前記回転ロッドを回転させるころにより前記ラックを前記凹溝に近接させる。
【０００７】
好ましくは、前記転向装置は、前記転向溝の中に設置され、且つ前後へ伸びている固定軸を含み、前記固定軸の中には前記ラックと噛み合って連結されているギヤが設置され、前記ギヤには伝動軸が回転できるように連結され、前記伝動軸の右端末端には電源箱が設置され、前記電源箱の外側が欠歯ギヤであり、前記電源箱と前記ギヤとの間にはトルクばねが連結され、前記電源箱の中には照明チャンバが設置され、前記シグナル装置が前記照明チャンバの中に位置しており、
前記ラックが噛み合いにより前記ギヤを回転させ、これにより前記電源箱が前記転向溝から出る。
【０００８】
好ましくは、前記シグナル装置は前記電源箱の右方に設置されているベースを含み、前記ベースと前記電源箱との間にはスライドレールが設置され、前記電源箱と前記ベースの中には前記スライドレールに対して左右対称となるリミットチャンバが設置され、前記スライドレールの中には連結ブロックがスライドできるように連結され、前記連結ブロックには前記リミットチャンバとスライドできるように連結されている左右対称の脱離防止ロッドが設置され、前記連結ブロックにはスライドロッドがスライドできるように連結され、前記スライドロッドには前記照明チャンバの中に位置している電極棒が設置され、前記電極棒と前記照明チャンバの内壁との間には復帰ばねが連結され、前記スライドロッドには前記転向溝の内壁と当接している当接ロッドが設置され、前記当接ロッドには前記電源箱の外側と噛み合って連結されているＵ型枠が設置され、前記ベースの右端には四脚スタンドが設置され、前記四脚スタンドにはライトが回転できるように連結され、前記ライトの左端には前記電極棒と当接している導電棒が設置され、前記照明チャンバの中には前記電極棒と当接している電源が設置されており、
前記ベースが前記電源箱との間が前記脱離防止ロッドと前記連結ブロックにより一体に連結され、また、前記脱離防止ロッドが前記リミットチャンバの中でのスライドにより、他の部品の回転に干渉しないことを保証し、同時に光線が前記四脚スタンドの柵式の構成により、明滅することを実現する。
【発明の効果】
【０００９】
本発明の有益効果は：本発明はスリーブ管の構成に類似し、取り外しやすくていつでもランダム検査でき、銃弾を撃ち出すことによりもたらされる運動エネルギーが一連の機械伝動により設備の起動を触発する構成に直接に作用し、電子テストコンポーネントよりもっと速く反応でき、また点灯したライトの数により危険さを示す。
【図面の簡単な説明】
【００１０】
説明しやすいために、本発明は以下の具体的な実施例及び付図により詳しく説明する。
【００１１】
【図１】図１は本発明のおもちゃの銃の射撃力の程度をテストする装置の全体構成模式図
【図２】図２は図１の「Ａ−Ａ」の断面の構成模式図
【図３】図３は図１の「Ｂ」の拡大構成模式図
【図４】図４は図３のシグナル装置の構成模式図
【図５】図５は図４の右側面図
【発明を実施するための形態】
【００１２】
以下に図１〜５を交えて本発明について詳しく説明する。便利に叙述するために、後文に出る方位を下記の通りに規定する：後文に出る上下左右前後方向は図１本体の投影関係の上下左右前後方向と一致する。
【００１３】
本発明のおもちゃの銃の射撃力の程度をテストする装置は、銃身１１を含み、前記銃身１１の中には右方へ開口した突き当て溝１２が設置され、前記突き当て溝１２の内壁には螺旋状に等間隔で列設されている四つの凹溝１５が設置され、前記凹溝１５において突き当て溝１２の円心から離れている側には伝動チャンバ１４が設置され、前記伝動チャンバ１４の中にはトリガー装置９０１が設置され、前記伝動チャンバ１４の右端には開口が円心から離れている転向溝１６が連通するように設置され、前記転向溝１６の中には前記トリガー装置９０１により制御される転向装置９０２が設置され、前記転向装置９０２にはシグナル装置９０３が設置され、前記突き当て溝１２の中には銃弾と当接する力受け板１９がスライドできるように連結され、前記力受け板１９の左端には横柱１８が設置され、前記横柱１８の左端末端には前記トリガー装置９０１を制御する斜面ブロック１７が設置され、前記斜面ブロック１７の左側端面と前記突き当て溝１２の左側内壁との間には抵抗ばね１３が連結されており、
銃弾が前記力受け板１９に強く打ちつけられ、また前記横柱１８により前記斜面ブロック１７を推し動かして左へ移動させ、銃弾の打撃がもたらす運動エネルギーにより前記斜面ブロック１７を相応な距離にスライドさせ、相応な数の前記トリガー装置９０１を始動し、前記トリガー装置９０１が前記転向装置９０２により、前記シグナル装置９０３を回転させて前記転向溝１６の中から出して発光させ、作業員にシグナルを送り、作業員が点灯したライトの数によりランク分けをする。
【００１４】
有益的には、前記トリガー装置９０１は前記凹溝１５のうち円心から離れている側の内壁とスライドできるように連結されている推しロッド２０を含み、前記推しロッド２０には前記斜面ブロック１７と当接している従動スライダ２２が設置され、前記従動スライダ２２と前記凹溝１５のうち円心から離れている側の内壁との間には圧縮ばね２１が連結され、前記伝動チャンバ１４の中には回転ロッド２７が回転できるように連結され、前記回転ロッド２７には左右対称の連通溝２６が設置され、左端の前記連通溝２６と前記推しロッド２０との間がスライドできるように連結され、前記伝動チャンバ１４の中には右端の前記連通溝２６とスライドできるように連結されているラック２８がスライドできるように連結されており、
前記斜面ブロック１７が前記従動スライダ２２により移動して前記推しロッド２０を推し動かして前記伝動チャンバ１４の中へ移動させ、また前記回転ロッド２７を回転させるころにより前記ラック２８を前記凹溝１５に近接させる。
【００１５】
有益的には、前記転向装置９０２は、前記転向溝１６の中に設置され、且つ前後へ伸びている固定軸２９を含み、前記固定軸２９の中には前記ラック２８と噛み合って連結されているギヤ２３が設置され、前記ギヤ２３には伝動軸３０が回転できるように連結され、前記伝動軸３０の右端末端には電源箱２５が設置され、前記電源箱２５の外側が欠歯ギヤであり、前記電源箱２５と前記ギヤ２３との間にはトルクばね２４が連結され、前記電源箱２５の中には照明チャンバ３１が設置され、前記シグナル装置９０３が前記照明チャンバ３１の中に位置しており、
前記ラック２８が噛み合いにより前記ギヤ２３を回転させ、これにより前記電源箱２５が前記転向溝１６から出る。
【００１６】
有益的には、前記シグナル装置９０３は前記電源箱２５の右方に設置されているベース３７を含み、前記ベース３７と前記電源箱２５との間にはスライドレール３３が設置され、前記電源箱２５と前記ベース３７の中には前記スライドレール３３に対して左右対称となるリミットチャンバ３８が設置され、前記スライドレール３３の中には連結ブロック４２がスライドできるように連結され、前記連結ブロック４２には前記リミットチャンバ３８とスライドできるように連結されている左右対称の脱離防止ロッド４３が設置され、前記連結ブロック４２にはスライドロッド４０がスライドできるように連結され、前記スライドロッド４０には前記照明チャンバ３１の中に位置している電極棒３２が設置され、前記電極棒３２と前記照明チャンバ３１の内壁との間には復帰ばね４１が連結され、前記スライドロッド４０には前記転向溝１６の内壁と当接している当接ロッド３９が設置され、前記当接ロッド３９には前記電源箱２５の外側と噛み合って連結されているＵ型枠４５が設置され、前記ベース３７の右端には四脚スタンド３６が設置され、前記四脚スタンド３６にはライト３５が回転できるように連結され、前記ライト３５の左端には前記電極棒３２と当接している導電棒３４が設置され、前記照明チャンバ３１の中には前記電極棒３２と当接している電源４４が設置されており、
前記ベース３７が前記電源箱２５との間が前記脱離防止ロッド４３と前記連結ブロック４２により一体に連結され、また、前記脱離防止ロッド４３が前記リミットチャンバ３８の中でのスライドにより、他の部品の回転に干渉しないことを保証し、同時に光線が前記四脚スタンド３６の柵式の構成により、明滅することを実現する。
【００１７】
作動する時、銃口を突き当て溝１２の中に嵌め、銃弾を撃ち出した後で銃弾が力受け板１９に強く打ち付けられ、また横柱１８により斜面ブロック１７を推し動かして左へ移動させ、銃弾の打撃がもたらす運動エネルギーにより斜面ブロック１７を相応な距離にスライドさせ、相応な数の従動スライダ２２を推し動かして伝動チャンバ１４に近接している側へ移動させ、また推しロッド２０により回転ロッド２７を回転させ、更にこれによりラック２８が凹溝１５に近接している側へ移動し、ラック２８が噛み合いによりギヤ２３を回転させ、伝動軸３０により推しロッド２０を九十度回転させ、また電源箱２５を転向溝１６から出し、この時、当接ロッド３９が転向溝１６の内壁との当接から離脱したため、復帰ばね４１の弾性が復帰し、電極棒３２を当接ロッド３９に近接している側へ移動させ、またそれぞれ電源４４と導電棒３４と当接させ、ライト３５を点灯させ、トルクばね２４の弾性が復帰したため、電源箱２５を回転させることによりライト３５が回転し、しかし、四脚スタンド３６が回転しなく、光線が明滅になり、点灯したライトの数によりランク分けをする。
【００１８】
終わった後、圧縮ばね２１の弾性復帰により、上記の作動過程が逆方向へ移動し、これにより電源箱２５が回転して改めて転向溝１６の中に戻り、この時、当接ロッド３９が転向溝１６の内壁と当接し、スライドロッド４０により電極棒３２を推し動かして電源４４と導電棒３４との当接からそれぞれ離脱させ、同時に、Ｕ型枠４５により電源箱２５を回転させ、トルクばね２４に運動エネルギーを蓄積させる。
【００１９】
本発明の有益効果は：本発明はスリーブ管の構成に類似し、取り外しやすくていつでもランダム検査でき、銃弾を撃ち出すことによりもたらされる運動エネルギーが一連の機械伝動により設備の起動を触発する構成に直接に作用し、電子テストコンポーネントよりもっと速く反応でき、また点灯したライトの数により危険さを示す。
【００２０】
以上の方式により、本分野の技術者が本発明の範囲内に作動モードにより各種な変化をすることができる。